(57)【特許請求の範囲】
【請求項１】
第１形態と第２形態との間で可逆的に形態を変化させることが可能に構成された形態変化玩具において、
第１の長尺部材の中間部と第２の長尺部材の中間部とが第１の軸を中心に互いに回動自在に結合され、
前記第１の長尺部材及び前記第２の長尺部材には、当該第１の長尺部材及び当該第２の長尺部材と共に前記第１形態及び前記第２形態を構成する部分が設けられ、
前記第１の長尺部材の一端部に指で操作可能な第１の指操作部が設けられるとともに、前記第２の長尺部材の一端部に指で操作可能な第２の指操作部が設けられ、
前記第１の長尺部材及び前記第２の長尺部材は、
前記第１の指操作部と前記第２の指操作部とが互いに離間して前記第１形態を取らせる第１位置と、前記第１の指操作部と前記第２の指操作部が互いに接近して当該第１の指操作部及び当該第２の指操作部に対して前記部分を盛り上がらせて前記第２形態を取らせる第２位置とを取り得るように構成された、
ことを特徴とする形態変化玩具。
【請求項２】
前記第１の長尺部材の前記一端部側と前記第２の長尺部材の前記一端部側とには、
前記第１形態の基体を構成するとともに前記第２形態の下半部を構成する部分が設けられ、
前記第１の長尺部材の前記一端部側と前記第２の長尺部材の前記一端部側とは、
前記第１位置にあるときに前記第１形態の前記基体を構成するとともに前記第２位置にあるときに前記第２形態の前記下半部を構成し、
前記第１の長尺部材の他端部側と前記第２の長尺部材の他端部側とには、
前記第１形態の前記基体以外の部分を構成するとともに前記第２形態の上半部を構成する部分が設けられ、
前記第１の長尺部材の前記他端部側と前記第２の長尺部材の前記他端部側とは、
前記第１位置にあるときに前記第１形態の前記基体以外の部分を構成するとともに前記第２位置にあるときに前記第２形態の前記上半部を構成する、
ことを特徴とする請求項１に記載の形態変化玩具。
【請求項３】
前記第１形態は車両玩具の形態となっており、
前記第１の長尺部材の前記一端部側には、前輪と、前輪と後輪との間に位置するサイドパネルの前部とが設けられ、前記第１の長尺部材の前記他端部側の左右には、それぞれ、当該左右に対応する後輪及びリアフェンダを有するリアサイド部品が設けられ、
前記第２の長尺部材の前記一端部側には、前記サイドパネルの後部が設けられ、前記第２の長尺部材の前記他端部側には、フロントフェンダ及びフロントパネルを有するフロント部品と上面部品とが設けられている、
ことを特徴とする請求項２に記載の形態変化玩具。
【請求項４】
前記第２形態はロボット玩具の形態となっており、
前記第１の長尺部材には前記リアサイド部品が前記第１の長尺部材の長手方向に延在する第２の軸を中心に回動自在に設けられ、前記リアサイド部品の前記リアフェンダの内側には前記ロボット玩具の形態の腕が設けられていることを特徴とする請求項３に記載の形態変化玩具。
【請求項５】
前記リアサイド部品と前記第１の長尺部材との間にはバネが介在され、
前記リアサイド部品は、前記車両玩具の形態では前記サイドパネルの後部によって前記バネの付勢力に抗して前記腕が当該サイドパネルの後部の内側となる状態に係止され、前記車両玩具の形態から前記ロボット玩具の形態に移行する際に前記バネの付勢力によって回動して前記腕が側方に露出し、前記ロボット玩具の形態から前記車両玩具の形態に移行する際に前記サイドパネルの後部に押圧され前記バネの付勢力に抗して回動して前記腕が当該サイドパネルの後部の内側となることを特徴とする請求項４に記載の形態変化玩具。
【請求項６】
前記第２の長尺部材の前記他端部側にはリンク棒を介して前記上面部品が回動自在に設けられ、前記上面部品は、前記ロボット玩具の形態に変化した際に前記ロボット玩具の背部側に配置されることを特徴とする請求項３から５のいずれか一項に記載の形態変化玩具。
【請求項７】
前記リンク棒は前記ロボット玩具の形態の頭によって構成されていることを特徴とする請求項６に記載の形態変化玩具。
【請求項８】
前記フロント部品は前記第２の長尺部材の前記他端部側に回動自在に設けられ、前記ロボット玩具の形態に変化した際に、前記ロボット玩具の胸部側に配置されることを特徴とする請求項３から７のいずれか一項に記載の形態変化玩具。
【請求項９】
前記第１の指操作部は前記第１の長尺部材に回動自在に設けられるとともに、前記第２の指操作部は前記第２の長尺部材に回動自在に設けられ、
前記第１の指操作部及び前記第２の指操作部は、前記ロボット玩具の足を構成することを特徴とする請求項３から８のいずれか一項に記載の形態変化玩具。
【請求項１０】
前記第１の指操作部及び前記第２の指操作部は、指先を引っ掛けるための凹部を有していることを特徴とする請求項１から９のいずれか一項に記載の形態変化玩具。
【発明の詳細な説明】
【技術分野】
【０００１】
本発明は、形態変化玩具に関するもので、詳しくは、車両玩具の形態とロボット玩具の形態との間で可逆的に形態を変化させることが可能に構成された形態変化玩具に係わるものである。
【背景技術】
【０００２】
従来、車両玩具の形態からロボット玩具の形態との間で可逆的に形態を変化させることが可能に構成された形態変化玩具として次のようなものが知られている。
この形態変化玩具は、車両玩具の形態において前方に突出して設けられ、障害物に衝突したときに後方へと変位可能な突出部材と、突出部材が後方へと変位することにより作動し、車両玩具の形態からロボット玩具の形態へと形態を変化させるための形態変化機構と、車両玩具の後部底面に配置され、後方側を支点として回動可能な接地部材と、を備え、接地部材が、形態変化機構が作動したときに接地方向に回動して形態変化玩具を立ち上げるように構成したものである（例えば、特許文献１参照）。
【０００３】
この形態変化玩具によれば、車両玩具の形態で走行し突出部材が障害物に衝突した際に、突出部材が後方へと変位することにより、接地部材が接地方向に回動し、直立したロボット玩具の形態に変化する。
【先行技術文献】
【特許文献】
【０００４】
【特許文献１】特開２０１２−１８７３５３号公報
【発明の概要】
【発明が解決しようとする課題】
【０００５】
しかしながら、上記形態変化玩具は、車両玩具の形態で走行中に障害物に衝突した際に自動的にロボット玩具の形態に変化することを企図したもので、形態変化玩具を手に持ったままの状態で、形態変化を生じさせるには適さないものとなっていた。
すなわち、例えば、車両玩具の形態にある形態変化玩具を手に持ったままロボット玩具の形態へと変化させようとする場合、形態変化玩具を片手で保持しつつ突出部材を指で押圧することになるが、この場合、手の上で、車両玩具の形態を手の上で直立したロボット玩具の形態とすることは極めて困難であった。
また、上記形態変化玩具は、車両玩具の形態にある形態変化玩具をロボット玩具の形態へと変化させようとする場合、接地部材が回動して形態変化玩具が起立することでロボット玩具の形態へと変化するので、変化に予測性があり、この点で面白みに欠けるものであった。
【０００６】
本発明は、単純な構造で、手に持ったままの状態で、比較的扁平な第１形態から比較的高さのある第２形態への形態変化を行うことができ、面白みのある形態変化玩具を提供することを目的としている。
【課題を解決するための手段】
【０００７】
請求項１に記載の形態変化玩具は、
第１形態と第２形態との間で可逆的に形態を変化させることが可能に構成された形態変化玩具において、
第１の長尺部材の中間部と第２の長尺部材の中間部とが第１の軸を中心に互いに回動自在に結合され、
前記第１の長尺部材及び前記第２の長尺部材には、当該第１の長尺部材及び当該第２の長尺部材と共に前記第１形態及び前記第２形態を構成する部品が設けられ、
前記第１の長尺部材の一端部に指で操作可能な第１の指操作部が設けられるとともに、前記第２の長尺部材の一端部に指で操作可能な第２の指操作部が設けられ、
前記第１の長尺部材及び前記第２の長尺部材は、
前記第１の指操作部と前記第２の指操作部とが互いに離間して前記第１形態を取らせる第１位置と、前記第１の指操作部と前記第２の指操作部が互いに接近して当該第１の指操作部及び当該第２の指操作部に対して前記部品を盛り上がらせて前記第２形態を取らせる第２位置とを取り得るように構成された、
ことを特徴とする形態変化玩具である。
【０００８】
請求項２に記載の形態変化玩具は、請求項１に記載の形態変化玩具であって、
前記第１の長尺部材の前記一端部側と前記第２の長尺部材の前記一端部側には、
前記第１形態の基体を構成するとともに前記第２形態の下半部を構成する部品が設けられ、
前記第１の長尺部材の前記一端部側と前記第２の長尺部材の前記一端部側とは、
前記第１位置にあるときに前記第１形態の前記基体を構成するとともに前記第２位置にあるときに前記第２形態の前記下半部を構成し、
前記第１の長尺部材の他端部側と前記第２の長尺部材の他端部側には、
前記第１形態の前記基体以外の部分を構成するとともに前記第２形態の上半部を構成する部品が設けられ、
前記第１の長尺部材の前記他端部側と前記第２の長尺部材の前記他端部側とは、
前記第１位置にあるときに前記第１形態の前記基体以外の部分を構成するとともに前記第２位置にあるときに前記第２形態の前記上半部を構成する、
ことを特徴とする。
【０００９】
請求項３に記載の形態変化玩具は、請求項２に記載の形態変化玩具であって、
前記第１形態は車両玩具の形態となっており、
前記第１の長尺部材の前記一端部側には、前輪と、前輪と後輪との間に位置するサイドパネルの前部とが設けられ、前記第１の長尺部材の前記他端部側の左右には、それぞれ、当該左右に対応する後輪及びリアフェンダを有するリアサイド部品が設けられ、
前記第２の長尺部材の前記一端部側には、前記サイドパネルの後部が設けられ、前記第２の長尺部材の前記他端部側には、フロントフェンダ及びフロントパネルを有するフロント部品と上面部品とが設けられている、
ことを特徴とする。
【００１０】
請求項４に記載の形態変化玩具は、請求項３に記載の形態変化玩具であって、
前記第２形態はロボット玩具の形態となっており、
前記第１の長尺部材には前記リアサイド部品が前記第１の長尺部材の長手方向に延在する第２の軸を中心に回動自在に設けられ、前記リアサイド部品の前記リアフェンダの内側には前記ロボット玩具の形態の腕が設けられていることを特徴とする。
【００１１】
請求項５に記載の形態変化玩具は、請求項４に記載の形態変化玩具であって、
前記リアサイド部品と前記第１の長尺部材との間にはバネが介在され、
前記リアサイド部品は、前記車両玩具の形態では前記サイドパネルの後部によって前記バネの付勢力に抗して前記腕が当該サイドパネルの後部の内側となる状態に係止され、前記車両玩具の形態から前記ロボット玩具の形態に移行する際に前記バネの付勢力によって回動して前記腕が側方に露出し、前記ロボット玩具の形態から前記車両玩具の形態に移行する際に前記サイドパネルの後部に押圧され前記バネの付勢力に抗して回動して前記腕部が当該サイドパネルの後部の内側となることを特徴とする。
【００１２】
請求項６に記載の形態変化玩具は、請求項３から５のいずれか一項に記載の形態変化玩具であって、前記第２の長尺部材の前記他端部側にはリンク棒を介して前記上面部品が回動自在に設けられ、前記上面部品は、前記ロボット玩具の形態に変化した際に前記ロボット玩具の背部側に配置されることを特徴とする。
【００１３】
請求項７に記載の形態変化玩具は、請求項６に記載の形態変化玩具であって、前記リンク棒は前記ロボット玩具の形態の頭によって構成されていることを特徴とする。
【００１４】
請求項８に記載の形態変化玩具は、請求項３から７のいずれか一項に記載の形態変化玩具であって、前記フロント部品は前記第２の長尺部材の前記他端部側に回動自在に設けられ、前記ロボット玩具の形態に変化した際に、前記ロボット玩具の胸部側に配置されることを特徴とする。
【００１５】
請求項９に記載の形態変化玩具は、請求項３から８のいずれか一項に記載の形態変化玩具であって、
前記第１の指操作部は前記第１の長尺部材に回動自在に設けられるとともに、前記第２の指操作部は前記第２の長尺部材に回動自在に設けられ、
前記第１の指操作部及び前記第２の指操作部は、前記ロボット玩具の足を構成することを特徴とする。
【００１６】
請求項１０に記載の形態変化玩具は、請求項１から９のいずれか一項に記載の形態変化玩具であって、前記第１の指操作部及び前記第２の指操作部は、指先を引っ掛けるための凹部を有していることを特徴とする。
【発明の効果】
【００１７】
本発明の形態変化玩具によれば、比較的扁平な第１形態にあるときに第１の指操作部と第２の指操作部を互いに接近させることにより、当該第１の指操作部及び当該第２の指操作部に対して部品を盛り上がらせて比較的高さのある第２形態とすることができるので、単純な構造で、手に持ったままの状態で、比較的扁平な第１形態から第２形態への形態変化を行うことができる。
また、第１形態から第２形態への変化の際には、第１の指操作部及び当該第２の指操作部に対して前記部品が盛り上がり、第２形態から第１形態への変化の際には、第１の指操作部及び当該第２の指操作部に対して前記部品が沈み込むので、意外性があり面白みのある形態変化玩具を実現できる。
【図面の簡単な説明】
【００１８】
【図１】本発明に係る形態変化玩具の一実施形態を示したもので、車両玩具の形態を示した斜視図である。
【図２】本実施形態の形態変化玩具のロボット玩具の形態を示した斜視図である。
【図３】本実施形態の形態変化玩具の車両玩具の形態の背面図である。
【図４】車両玩具の形態における第１の長尺部材及び第２の長尺部材の模式的な平面図である。
【図５】車両玩具の形態における第１の長尺部材及び第２の長尺部材の模式的な側面図である。
【図６】第１の長尺部材の配置部品を説明するための模式的な平面図である。
【図７】第２の長尺部材の配置部品を説明するための模式的な平面図である。
【図８】第２の長尺部材の配置部品を説明するための図であり、（Ａ）は模式的な側面図、（Ｂ）は結合関係を示す模式的な平面図である。
【図９】リアサイド部品の動作を説明するための斜視図である。
【図１０】本実施形態の形態変化玩具の車両玩具の形態からロボット玩具の形態への変化の初期状態を示した側面図である。
【図１１】本実施形態の形態変化玩具の車両玩具の形態からロボット玩具の形態への変化の中間状態を示した側面図である。
【図１２】本実施形態の形態変化玩具の車両玩具の形態からロボット玩具の形態への最終変化を示した側面図である。
【発明を実施するための形態】
【００１９】
以下、本発明の形態変化玩具を図面に示した実施の形態に基づいて説明する。
【００２０】
図１は、実施形態の形態変化玩具の車両玩具の形態（第１形態）を示した斜視図、図２は、実施形態の形態変化玩具のロボット玩具の形態（第２形態）を示した斜視図、図３は、車両玩具の形態の背面図である。
この実施形態の形態変化玩具１では、図１に示した車両玩具１Ａの形態と、図２に示したロボット玩具１Ｂの形態との間で可逆的に変化可能に構成されている。ただし、図２において、左の腕１９については形態変化の後に前方に腕１９を差し出すように軸１８を中心に前方に９０度回動させた状態を示している。
【００２１】
続いて、この形態変化玩具１の車両玩具１Ａの形態について説明する。
車両玩具１Ａは、図１に示すように、前輪２及び後輪３と、サイドパネル前部４と、サイドパネル後部５と、フロントフェンダ６ａ及びフロントパネル６ｂを有するフロント部品６と、リアフェンダ７ａ及び一部のリアパネル７ｂ（図３参照）を有するリアサイド部品７と、フロントフード８ａ、ルーフ８ｂ及びリアフード８ｃを有する上面部品８と、フロントバンパ２６と、排気装置模型２７（図３参照）とを備えている。これらの部品は、第１の長尺部材１０及び第２の長尺部材１１に適宜に分配された形で配設されている。
なお、リアサイド部品７には軸２０を中心に回動自在に後輪３が設けられている。
【００２２】
図４には、車両玩具１Ａの形態における第１の長尺部材１０及び第２の長尺部材１１の模式的な平面図が示され、図５には、その模式的な側面図が示されている。これらの図において、網掛け部分は第１の長尺部材１０と第２の長尺部材１１とが重なっている部分である。
【００２３】
第１の長尺部材１０と第２の長尺部材１１は、図５に示すように、それらの中間部で軸（第１の軸）１２を中心に互いに回動自在に連結されている。
このうち第１の長尺部材１０の一端部はフロアパネル前部を構成している。この第１の長尺部材１０の一端部はロボット玩具１Ｂの脚部を構成する。この第１の長尺部材１０の一端部側には、図６に示すように、側面にサイドパネル前部４が一体に配設されるとともに、軸１４（図１参照）によって前輪２が回転自在に配設されている。このサイドパネル前部４及び前輪２はロボット玩具１Ｂの脚部のプロテクタを構成する。
また、第１の長尺部材１０の他端部の左右には、それぞれ、当該左右に対応するリアサイド部品７が第１の長尺部材１０の長手方向に平行に延設された軸１５（図９及び図１２）を中心に回動自在に配設されている。第１の長尺部材１０の他端部はロボット玩具１Ｂの胴部を構成する。リアサイド部品７は、軸１５に巻回されたねじりコイルバネ１６によって外方（図６の矢印Ａの方向）に付勢されている。具体的には、リアサイド部品７は、後輪３の外表面が車両玩具１Ａの形態における下方を向く方向にねじりコイルバネ１６によって付勢されている。ロボット玩具１Ｂとなったとき後輪３は背中側に位置し、リアサイド部品７はロボット玩具１Ｂの腕や肩部のプロテクタを構成する。
このリアサイド部品７のリアフェンダ７ａの内側には軸１８を中心にロボット玩具１Ｂの腕１９の基部が回動自在に配設されている。この軸１８は上記軸１５に直交する方向に延在している。
【００２４】
一方、第２の長尺部材１１の一端部は、図７に示すように、フロアパネル後部を構成している。この第２の長尺部材１１の一端部はロボット玩具１Ｂの脚部を構成する。この第２の長尺部材２１の一端部側には、側面にサイドパネル後部５が一体に配設されている。このサイドパネル後部５はドアパネルを構成し、ロボット玩具１Ｂとなったとき腰部のプロテクタを構成する。
また、第２の長尺部材１１の他端部側には、図８（Ａ）及び図８（Ｂ）に示すように、軸２２を介してロボット玩具１Ｂの頭部２３が配設され、当該頭部２３に軸２４を介してフロント部品６が配設され、さらに頭部２３に軸２５を介して上面部品８が配設されている。第２の長尺部材１１の他端部はロボット玩具１Ｂの胴部を構成する。また、ロボット玩具１Ｂとなったとき、フロント部品６は胸部のプロテクタを構成し、上面部品８はの背中のプロテクタを構成する。
【００２５】
また、この形態変化玩具１では、第１の長尺部材１０の一端部にフロントバンパ２６が軸２８ａ（図１０参照）によって回動自在に配設され、一方、第２の長尺部材１１の一端部に車両玩具１Ａの排気装置模型２７が軸２８ｂによって回動自在に配設されている。そして、フロントバンパ２６の底面には、図示しない指差込み凹部２６ａが形成されている。また、排気装置模型２７の底面には、図示しない指差込み凹部２７ａが形成されている。このフロントバンパ２６は第１の指操作部を構成し、排気装置模型２７は第２の指操作部を構成する。そして、フロントバンパ２６と排気装置模型２７とはロボット玩具１Ｂにおける足を構成している。
なお、本実施形態では、図１０に示すように排気装置模型２７の軸２８ｂは長孔によって支持されている。そして、図示はしないが、この排気装置模型２７はバネの付勢力によって押圧部材を介して軸１２から離間する方向に付勢されている。そして、指差込み凹部２７ａと指差込凹部２７Ｂとを近付ける際に、排気装置模型２７の軸１２側の弧状部分が押圧部材摺接して回動し易くなるように構成している。
【００２６】
次に、このように構成された形態変化玩具１の動作を説明する。
実施形態の形態変化玩具１では、図１に示す車両玩具１Ａの形態において第１の長尺部材１０の第１の指操作部（フロントバンパ２６）と第２の長尺部材１１の排気装置模型２７（第２の指操作部）とが最も離れた状態にある。この状態では、フロント部品６及び上面部品８がサイドパネル前部４，サイドパネル後部５等によって位置決めされている。
また、リアサイド部品７は、サイドパネル後部５による押圧力によってねじりコイルバネ１６の付勢力に抗して回動されて腕１９は車体内部に格納された状態にある。具体的には、図９に示すように、リアサイド部品７は、形態変化玩具１がロボット玩具１Ｂの形態から車両玩具１Ａの形態に変化する際に、矢印Ｂ方向に回動するサイドパネル後部５の前端上部に押圧され、矢印Ｃの方向にねじりコイルバネ１６の付勢力に抗して回動し、サイドパネル後部５の内面がリアサイド部品７の段部７０の外面に当接した状態で係止される。この状態が腕１９は車体内部に格納されている状態である。
【００２７】
この状態で、フロントバンパ２６及び排気装置模型２７の指差込み凹部２６ａ,２７ａに指を差込み、第１の長尺部材１０の第１の指操作部（フロントバンパ２６）と第２の長尺部材１１の排気装置模型２７（第２の指操作部）とが近付く方向、すなわち、両長尺部材１０，１１を閉じる方向に力を加える。すると、図１０に示すように、第１の長尺部材１０に配設されたリアサイド部品７等が軸１２を中心に反時計方向上方へ回動され、第２の長尺部材１１に配設されたフロント部品６，上面部品８，頭部２３等が軸１２を中心に時計方向上方に移動される。その際、リアサイド部品７は、サイドパネル後部５によっての拘束が少なくなり、ねじりコイルバネ１６の付勢力によって少し外方へ開かれる。
【００２８】
さらに、第１の長尺部材１０の第１の指操作部（フロントバンパ２６）と第２の長尺部材１１の排気装置模型２７（第２の指操作部）とが近付く方向に力を加えと、図１１に示すように、リアサイド部品７、フロント部品６，上面部品８，頭部２３等が上方へ移動される。
【００２９】
さらに、第１の長尺部材１０の第１の指操作部（フロントバンパ２６）と第２の長尺部材１１の排気装置模型２７（第２の指操作部）とが近付く方向に力を加えと、図１２に示すように、ロボット玩具１Ｂの形態に変化する。この状態では、フロント部品６がロボット玩具１Ｂの形態における胴部前面に位置され、上面部品８が胴部背部に位置され、頭部２３が立設される。この場合、頭部２３は第１の長尺部材１０の他端部に形成した図示しないリブに摺接して起立する方向に動作して立設される。また、リアサイド部品７は、サイドパネル後部５による拘束から解放され、ねじりコイルバネ１６の付勢力によって完全に外方へ開かれ、腕１９がロボット玩具１Ｂの側方に位置される。そして、腕１９を軸１８を中心にして回動させて前方に略水平方向に位置させると、図２の形態となる。
この状態において、足は、ロボット玩具１Ｂの接地面となり、ロボット玩具１Ｂの支持を確保している。
【００３０】
このように構成された形態変化玩具１によれば、次のような効果を得ることができる。
すなわち、形態変化玩具１によれば、車両玩具１Ａの形態にあるときに第１の指操作部と第２の指操作部を互いに接近させることにより、当該第１の指操作部及び当該第２の指操作部に対して部品を盛り上がらせてロボット玩具１Ｂの形態を取らせることができるので、単純な構造で、手に持ったままの状態で、車両玩具１Ａの形態からロボット玩具１Ｂの形態への形態変化を行うことができる。
また、車両玩具１Ａの形態からロボット玩具１Ｂの形態への変化の際には、第１の指操作部及び当該第２の指操作部に対して前記部品が盛り上がり、ロボット玩具１Ｂの形態から車両玩具１Ａの形態への変化の際には、第１の指操作部及び当該第２の指操作部に対して部品が沈み込むので、意外性があり面白みのある形態変化玩具１を実現できる。
【００３１】
以上、本発明の実施形態について説明したが、本発明は、かかる実施形態に限定されず、その要旨を変更しない範囲で種々の変形が可能であることは言うまでもない。
例えば、上記実施形態では、車両玩具１Ａとロボット玩具１Ｂとの間で形態変化をさせるように構成したが、例えば比較的扁平な動物、生物、仮想生命体、情景物その他から比較的高さのある動物、生物、仮想生命体、情景物その他への形態変化をさせるように構成することができる。
なお、本発明の「ロボット玩具」には人間型フィギアも含むことは勿論である。
【符号の説明】
【００３２】
１    形態変化玩具
２    前輪
３    後輪
４    サイドパネル前部
５    サイドパネル後部
６    フロント部品
７    リアサイド部品
８    上面部品
８ｂ    リアパネル
１０    第１の長尺部材
１１    第２の長尺部材
１２    軸
【図１】
0006297953.tif 000002
【図２】
0006297953.tif 000003
【図３】
0006297953.tif 000004
【図４】
0006297953.tif 000005
【図５】
0006297953.tif 000006
【図６】
0006297953.tif 000007
【図７】
0006297953.tif 000008
【図８】
0006297953.tif 000009
【図９】
0006297953.tif 000010
【図１０】
0006297953.tif 000011
【図１１】
0006297953.tif 000012
【図１２】
0006297953.tif 000013